(57)【要約】【課題】記番号が管理されている紙幣のみを、ＡＴＭに装填される紙幣や銀行窓口で顧客に払い出される紙幣として使用するような運用が行われるときでも、入金処理等により収納部に収納された紙幣をそのままＡＴＭに装填される紙幣や銀行窓口で顧客に払い出される紙幣として使用することができる紙幣処理装置および紙幣処理方法を提供する。【解決手段】紙幣処理装置１は、紙幣を収納する複数の収納部５２と、機体２内に投入された紙幣を各収納部５２に搬送する搬送部１８と、搬送部１８に設けられ、機体２内に投入された紙幣の記番号を読み取る識別部４０と、搬送部１８を制御する制御部７０とを備えている。制御部７０は、識別部４０により記番号が読み取られた紙幣と識別部４０により記番号が読み取られなかった紙幣とを別々の収納部５２に収納するよう搬送部１８を制御する。【選択図】図３
2013164802.tif 000002
【特許請求の範囲】
【請求項１】
紙幣を収納する複数の収納部と、
機体内に投入された紙幣を前記各収納部に搬送する搬送部と、
前記搬送部に設けられ、機体内に投入された紙幣の記番号を読み取る識別部と、
前記識別部により記番号が読み取られた紙幣と前記識別部により記番号が読み取られなかった紙幣とを別々の収納部に収納するよう前記搬送部を制御する制御部と、
を備えた、紙幣処理装置。
【請求項２】
前記識別部は、紙幣の金種も識別するようになっており、
前記制御部は、前記識別部により識別された紙幣の金種毎に紙幣を別々の収納部に収納するよう前記搬送部を制御する、請求項１記載の紙幣処理装置。
【請求項３】
前記識別部は、紙幣の正損も識別するようになっており、
前記制御部は、前記識別部により正券と識別された紙幣と損券と識別された紙幣とを別々の収納部に収納するよう前記搬送部を制御する、請求項１または２記載の紙幣処理装置。
【請求項４】
紙幣を収納する複数の収納部と、
機体内に投入された紙幣を前記各収納部に搬送する搬送部と、
前記搬送部に設けられ、機体内に投入された紙幣の記番号を読み取る識別部と、
前記搬送部を制御する制御部と、
を備え、
前記識別部は、紙幣の正損も識別するようになっており、
前記制御部は、前記識別部により紙幣が正券であると識別された場合には、前記識別部により記番号が読み取られた紙幣と前記識別部により記番号が読み取られなかった紙幣とを別々の収納部に収納し、前記識別部により紙幣が損券であると識別された場合には、前記識別部により記番号が読み取られた紙幣と前記識別部により記番号が読み取られなかった紙幣とを同じ収納部に収納するよう前記搬送部を制御する、紙幣処理装置。
【請求項５】
前記識別部は、紙幣の正損を識別する際に、紙幣の正損に係る判別を３段階以上の区分に分けて行うようになっており、
前記制御部は、紙幣の正損に係る判別の前記区分毎に紙幣を別々の収納部に収納するよう前記搬送部を制御する、請求項３または４記載の紙幣処理装置。
【請求項６】
前記識別部は、紙幣の正損を識別する際に、紙幣の正券に係る判別を２段階の区分に分けて行うようになっており、
前記制御部は、前記識別部により記番号が読み取られなかった正券の紙幣については、紙幣の正券に係る判別の前記区分にかかわらず同じ収納部に収納するよう前記搬送部を制御する、請求項３または４記載の紙幣処理装置。
【請求項７】
前記識別部により記番号が読み取られた紙幣を収納する収納部は、前記紙幣処理装置の機体内から取り外し可能なカセットである、請求項１乃至６のいずれか一項に記載の紙幣処理装置。
【請求項８】
前記識別部により記番号が読み取られなかった紙幣を撮像する撮像部と、
前記撮像部により撮像された紙幣の画像データを記憶する記憶部と、
を更に備えた、請求項１乃至７のいずれか一項に記載の紙幣処理装置。
【請求項９】
前記撮像部により撮像された紙幣の画像データは、取引データに紐付けられて前記記憶部に記憶されるようになっている、請求項８記載の紙幣処理装置。
【請求項１０】
紙幣を収納する収納部と、
機体内に投入された紙幣を前記収納部に搬送するかまたは機体外へ返却する搬送部と、
前記搬送部に設けられ、機体内に投入された紙幣の記番号を読み取る識別部と、
前記識別部により記番号が読み取られた紙幣を前記収納部に収納し、前記識別部により記番号が読み取られなかった紙幣を機体外へ返却するよう前記搬送部を制御する制御部と、
を備えた、紙幣処理装置。
【請求項１１】
前記識別部は、紙幣の金種も識別するようになっている、請求項１０記載の紙幣処理装置。
【請求項１２】
前記識別部は、紙幣の正損も識別するようになっている、請求項１０または１１記載の紙幣処理装置。
【請求項１３】
前記識別部は、紙幣の正損を識別する際に、紙幣の正損に係る判別を３段階以上の区分に分けて行うようになっている、請求項１２記載の紙幣処理装置。
【請求項１４】
前記識別部により記番号が読み取られた紙幣を収納する収納部は、前記紙幣処理装置の機体内から取り外し可能なカセットである、請求項１０乃至１３のいずれか一項に記載の紙幣処理装置。
【請求項１５】
紙幣を収納する複数の収納部と、
機体内に投入された紙幣を各収納部に搬送する搬送部と、
前記搬送部に設けられ、機体内に投入された紙幣の記番号を読み取る識別部と、
前記識別部により記番号が読み取られた紙幣と前記識別部により記番号が読み取られなかった紙幣とを別々の収納部に収納するよう前記搬送部を制御する第１の運転モードと、前記識別部により記番号が読み取られた紙幣と前記識別部により記番号が読み取られなかった紙幣とを同じ収納部に収納するよう前記搬送部を制御する第２の運転モードとからなる２つの運転モードのうちいずれか一方の運転モードを選択的に実行する制御部と、
を備えた、紙幣処理装置。
【請求項１６】
紙幣を収納する収納部と、
機体内に投入された紙幣を前記収納部に搬送するかまたは機体外へ返却する搬送部と、
前記搬送部に設けられ、機体内に投入された紙幣の記番号を読み取る識別部と、
前記識別部により記番号が読み取られた紙幣を前記収納部に収納し、前記識別部により記番号が読み取られなかった紙幣を機体外へ返却するよう前記搬送部を制御する第３の運転モードと、前記識別部により記番号が読み取られた紙幣と前記識別部により記番号が読み取られなかった紙幣とを前記収納部に収納するよう前記搬送部を制御する第４の運転モードとからなる２つの運転モードのうちいずれか一方の運転モードを選択的に実行する制御部と、
を備えた、紙幣処理装置。
【請求項１７】
紙幣処理装置における紙幣処理方法であって、
前記紙幣処理装置の機体内に投入された紙幣の記番号を識別部により読み取る工程と、
前記識別部により記番号が読み取られた紙幣と前記識別部により記番号が読み取られなかった紙幣とを別々の収納部に収納する工程と、
を備えた、紙幣処理方法。
【請求項１８】
紙幣処理装置における紙幣処理方法であって、
前記紙幣処理装置の機体内に投入された紙幣の記番号を識別部により読み取る工程と、
前記識別部により記番号が読み取られた紙幣を収納部に収納し、前記識別部により記番号が読み取られなかった紙幣を機体外へ返却する工程と、
を備えた、紙幣処理方法。
【発明の詳細な説明】
【技術分野】
【０００１】
本発明は、紙幣の処理を行う紙幣処理装置および紙幣処理方法に関し、とりわけ、記番号が管理されている紙幣のみを、ＡＴＭに装填される紙幣や銀行窓口で顧客に払い出される紙幣として使用するような運用が行われるときでも、入金処理等により収納部に収納された紙幣をそのままＡＴＭに装填される紙幣や銀行窓口で顧客に払い出される紙幣として使用することができる紙幣処理装置および紙幣処理方法に関する。
【背景技術】
【０００２】
従来から、紙幣の処理を行う紙幣処理装置として様々なタイプのものが知られている。例えば、特許文献１には、銀行のロビー等に設置される紙幣入金機が開示されている。特許文献１に開示される紙幣入金機では、複数金種が混在した複数枚の紙幣の入金処理を行う際に、紙幣投入部に投入された紙幣を１枚ずつ機体内の搬送部に繰り出し、搬送部に設けられた識別部によりこの紙幣を識別し、識別結果に応じて金種毎に紙幣を複数の収納部に収納させるようになっている。また、特許文献１に開示される紙幣入金機では、識別部により正券であると識別された紙幣と識別部により損券であると識別された紙幣とを別々の収納部に収納させるようになっている。
【先行技術文献】
【特許文献】
【０００３】
【特許文献１】特開２００２−２０３２６４号公報
【発明の概要】
【発明が解決しようとする課題】
【０００４】
紙幣の入出金処理を行う紙幣処理装置において、入金処理により機体内の収納部に紙幣を収納した後、収納部に収納された紙幣を、ＡＴＭに装填される紙幣や銀行窓口で顧客に払い出される紙幣として使用する場合がある。この際に、個々の紙幣を特定するための固有情報である記番号が管理されている紙幣のみを、ＡＴＭに装填される紙幣や銀行窓口で顧客に払い出される紙幣として使用するような運用が行われるときには、従来の紙幣処理装置では、収納部に収納されている紙幣をそのままＡＴＭに装填される紙幣や銀行窓口で顧客に払い出される紙幣として使用することができないという問題があった。なぜならば、従来の紙幣処理装置では、識別部により記番号が読み取られた紙幣と識別部により記番号が読み取られなかった紙幣とが混合状態で収納部に収納されていたからである。
【０００５】
本発明は、このような点を考慮してなされたものであり、記番号が管理されている紙幣のみを、ＡＴＭに装填される紙幣や銀行窓口で顧客に払い出される紙幣として使用するような運用が行われるときでも、識別部により記番号が読み取られた紙幣と識別部により記番号が読み取られなかった紙幣とを物理的に分離して管理することにより、入金処理等により収納部に収納された紙幣をそのままＡＴＭに装填される紙幣や銀行窓口で顧客に払い出される紙幣として使用することができる紙幣処理装置および紙幣処理方法を提供することを目的とする。
【課題を解決するための手段】
【０００６】
本発明は、紙幣を収納する複数の収納部と、機体内に投入された紙幣を前記各収納部に搬送する搬送部と、前記搬送部に設けられ、機体内に投入された紙幣の記番号を読み取る識別部と、前記識別部により記番号が読み取られた紙幣と前記識別部により記番号が読み取られなかった紙幣とを別々の収納部に収納するよう前記搬送部を制御する制御部と、を備えた、紙幣処理装置である。
【０００７】
このような紙幣処理装置によれば、識別部は、機体内に投入された紙幣の記番号を読み取るようになっており、制御部は、識別部により記番号を読み取られた紙幣と識別部により記番号が読み取られなかった紙幣とを別々の収納部に収納するよう搬送部を制御するようになっている。このことにより、記番号が管理されている紙幣のみを、ＡＴＭに装填される紙幣や銀行窓口で顧客に払い出される紙幣として使用するような運用が行われるときでも、識別部により記番号が読み取られた紙幣と識別部により記番号が読み取られなかった紙幣とを物理的に分離して管理することにより、入金処理等により収納部に収納された紙幣をそのままＡＴＭに装填される紙幣や銀行窓口で顧客に払い出される紙幣として使用することができるようになる。さらに、記番号が読み取られなかった紙幣を、記番号が読み取られた紙幣や、記番号の読み取り処理をしていない紙幣と区別して管理することができる。
【０００８】
本発明の紙幣処理装置においては、前記識別部は、紙幣の金種も識別するようになっており、前記制御部は、前記識別部により識別された紙幣の金種毎に紙幣を別々の収納部に収納するよう前記搬送部を制御するようになっていてもよい。
【０００９】
本発明の紙幣処理装置においては、前記識別部は、紙幣の正損も識別するようになっており、前記制御部は、前記識別部により正券と識別された紙幣と損券と識別された紙幣とを別々の収納部に収納するよう前記搬送部を制御するようになっていてもよい。
【００１０】
本発明は、紙幣を収納する複数の収納部と、機体内に投入された紙幣を前記各収納部に搬送する搬送部と、前記搬送部に設けられ、機体内に投入された紙幣の記番号を読み取る識別部と、前記搬送部を制御する制御部と、を備え、前記識別部は、紙幣の正損も識別するようになっており、前記制御部は、前記識別部により紙幣が正券であると識別された場合には、前記識別部により記番号が読み取られた紙幣と前記識別部により記番号が読み取られなかった紙幣とを別々の収納部に収納し、前記識別部により紙幣が損券であると識別された場合には、前記識別部により記番号が読み取られた紙幣と前記識別部により記番号が読み取られなかった紙幣とを同じ収納部に収納するよう前記搬送部を制御する、紙幣処理装置である。このことにより、紙幣が損券の場合は、ＡＴＭに装填される紙幣や銀行窓口で顧客に払い出される紙幣として使用しない運用が行われるときには、紙幣の記番号が読み取られたか否かにかかわらず同じ収納部に収納するので、収納部の数を少なくできるとともに、紙幣管理を簡略化することができる。
【００１１】
本発明の紙幣処理装置においては、前記識別部は、紙幣の正損を識別する際に、紙幣の正損に係る判別を３段階以上の区分に分けて行うようになっており、前記制御部は、紙幣の正損に係る判別の前記区分毎に紙幣を別々の収納部に収納するよう前記搬送部を制御するようになっていてもよい。
【００１２】
本発明の紙幣処理装置においては、前記識別部は、紙幣の正損を識別する際に、紙幣の正券に係る判別を２段階の区分に分けて行うようになっており、前記制御部は、前記識別部により記番号が読み取られなかった正券の紙幣については、紙幣の正券に係る判別の前記区分にかかわらず同じ収納部に収納するよう前記搬送部を制御するようになっていてもよい。
【００１３】
本発明の紙幣処理装置においては、前記識別部により記番号が読み取られた紙幣を収納する収納部は、前記紙幣処理装置の機体内から取り外し可能なカセットであってもよい。
【００１４】
本発明の紙幣処理装置においては、前記識別部により記番号が読み取られなかった紙幣を撮像する撮像部と、前記撮像部により撮像された紙幣の画像データを記憶する記憶部と、を更に備えていてもよい。
【００１５】
この際に、前記撮像部により撮像された紙幣の画像データは、取引データに紐付けられて前記記憶部に記憶されるようになっていてもよい。
【００１６】
本発明は、紙幣を収納する収納部と、機体内に投入された紙幣を前記収納部に搬送するかまたは機体外へ返却する搬送部と、前記搬送部に設けられ、機体内に投入された紙幣の記番号を読み取る識別部と、前記識別部により記番号が読み取られた紙幣を前記収納部に収納し、前記識別部により記番号が読み取られなかった紙幣を機体外へ返却するよう前記搬送部を制御する制御部と、を備えた、紙幣処理装置である。
【００１７】
このような紙幣処理装置によれば、識別部は、機体内に投入された紙幣の記番号を読み取るようになっており、制御部は、識別部により記番号が読み取られた紙幣を収納部に収納し、識別部により記番号が読み取られなかった紙幣を機体外へ返却するよう搬送部を制御するようになっている。このことにより、記番号が管理されている紙幣のみを、ＡＴＭに装填される紙幣や銀行窓口で顧客に払い出される紙幣として使用するような運用が行われるときでも、識別部により記番号が読み取られた紙幣と識別部により記番号が読み取られなかった紙幣とを物理的に分離して管理することにより、入金処理等により収納部に収納された紙幣をそのままＡＴＭに装填される紙幣や銀行窓口で顧客に払い出される紙幣として使用することができるようになる。
【００１８】
このような紙幣処理装置においては、前記識別部は、紙幣の金種も識別するようになっていてもよい。
【００１９】
また、前記識別部は、紙幣の正損も識別するようになっていてもよい。
【００２０】
この場合、前記識別部は、紙幣の正損を識別する際に、紙幣の正損に係る判別を３段階以上の区分に分けて行うようになっていてもよい。
【００２１】
また、前記識別部により記番号が読み取られた紙幣を収納する収納部は、前記紙幣処理装置の機体内から取り外し可能なカセットであってもよい。
【００２２】
本発明は、紙幣を収納する複数の収納部と、機体内に投入された紙幣を各収納部に搬送する搬送部と、前記搬送部に設けられ、機体内に投入された紙幣の記番号を読み取る識別部と、前記識別部により記番号が読み取られた紙幣と前記識別部により記番号が読み取られなかった紙幣とを別々の収納部に収納するよう前記搬送部を制御する第１の運転モードと、前記識別部により記番号が読み取られた紙幣と前記識別部により記番号が読み取られなかった紙幣とを同じ収納部に収納するよう前記搬送部を制御する第２の運転モードとからなる２つの運転モードのうちいずれか一方の運転モードを選択的に実行する制御部と、を備えた、紙幣処理装置である。
【００２３】
このような紙幣処理装置によれば、記番号が管理されている紙幣のみを、ＡＴＭに装填される紙幣や銀行窓口で顧客に払い出される紙幣として使用するような運用が行われるときでも、制御部に第１の運転モードを行わせることにより、識別部により記番号が読み取られた紙幣と識別部により記番号が読み取られなかった紙幣とを物理的に分離して管理することができるようになる。このことにより、入金処理等により収納部に収納された紙幣をそのままＡＴＭに装填される紙幣や銀行窓口で顧客に払い出される紙幣として使用することができるようになる。
【００２４】
本発明は、紙幣を収納する収納部と、機体内に投入された紙幣を前記収納部に搬送するかまたは機体外へ返却する搬送部と、前記搬送部に設けられ、機体内に投入された紙幣の記番号を読み取る識別部と、前記識別部により記番号が読み取られた紙幣を前記収納部に収納し、前記識別部により記番号が読み取られなかった紙幣を機体外へ返却するよう前記搬送部を制御する第３の運転モードと、前記識別部により記番号が読み取られた紙幣と前記識別部により記番号が読み取られなかった紙幣とを前記収納部に収納するよう前記搬送部を制御する第４の運転モードとからなる２つの運転モードのうちいずれか一方の運転モードを選択的に実行する制御部と、を備えた、紙幣処理装置である。
【００２５】
このような紙幣処理装置によれば、記番号が管理されている紙幣のみを、ＡＴＭに装填される紙幣や銀行窓口で顧客に払い出される紙幣として使用するような運用が行われるときでも、制御部に第３の運転モードを行わせることにより、識別部により記番号が読み取られた紙幣と識別部により記番号が読み取られなかった紙幣とを物理的に分離して管理することができるようになる。このことにより、入金処理等により収納部に収納された紙幣をそのままＡＴＭに装填される紙幣や銀行窓口で顧客に払い出される紙幣として使用することができるようになる。
【００２６】
本発明は、紙幣処理装置における紙幣処理方法であって、前記紙幣処理装置の機体内に投入された紙幣の記番号を識別部により読み取る工程と、前記識別部により記番号が読み取られた紙幣と前記識別部により記番号が読み取られなかった紙幣とを別々の収納部に収納する工程と、を備えた、紙幣処理方法である。
【００２７】
このような紙幣処理方法によれば、識別部により記番号が読み取られた紙幣と識別部により記番号が読み取られなかった紙幣とを別々の収納部に収納するようになっている。このため、記番号が管理されている紙幣のみを、ＡＴＭに装填される紙幣や銀行窓口で顧客に払い出される紙幣として使用するような運用が行われるときでも、識別部により記番号が読み取られた紙幣と識別部により記番号が読み取られなかった紙幣とを物理的に分離して管理することにより、入金処理等により収納部に収納された紙幣をそのままＡＴＭに装填される紙幣や銀行窓口で顧客に払い出される紙幣として使用することができるようになる。
【００２８】
本発明は、紙幣処理装置における紙幣処理方法であって、前記紙幣処理装置の機体内に投入された紙幣の記番号を識別部により読み取る工程と、前記識別部により記番号が読み取られた紙幣を収納部に収納し、前記識別部により記番号が読み取られなかった紙幣を機体外へ返却する工程と、を備えた、紙幣処理方法である。
【００２９】
このような紙幣処理方法によれば、識別部により記番号が読み取られた紙幣を収納部に収納し、識別部により記番号が読み取られなかった紙幣を機体外へ返却するようになっている。このため、記番号が管理されている紙幣のみを、ＡＴＭに装填される紙幣や銀行窓口で顧客に払い出される紙幣として使用するような運用が行われるときでも、識別部により記番号が読み取られた紙幣と識別部により記番号が読み取られなかった紙幣とを物理的に分離して管理することにより、入金処理等により収納部に収納された紙幣をそのままＡＴＭに装填される紙幣や銀行窓口で顧客に払い出される紙幣として使用することができるようになる。
【発明の効果】
【００３０】
本発明の紙幣処理装置および紙幣処理方法によれば、記番号が管理されている紙幣のみを、ＡＴＭに装填される紙幣や銀行窓口で顧客に払い出される紙幣として使用するような運用が行われるときでも、入金処理等により収納部に収納された紙幣をそのままＡＴＭに装填される紙幣や銀行窓口で顧客に払い出される紙幣として使用することができる。
【図面の簡単な説明】
【００３１】
【図１】本発明の一の実施の形態による紙幣処理装置の内部構成を示す構成図である。
【図２】図１に示す紙幣処理装置の機能ブロック図である。
【図３】図１に示す紙幣処理装置で入金処理等が行われる際に、識別部により識別された紙幣が６つの収納部のうちどの収納部に収納されるかを説明するための表である。
【図４】本発明による他の構成の紙幣処理装置の内部構成を示す構成図である。
【図５】本発明による更に他の構成の紙幣処理装置の内部構成を示す構成図である。
【発明を実施するための形態】
【００３２】
以下、図面を参照して本発明の一の実施の形態について説明する。図１乃至図３は、本実施の形態に係る紙幣処理装置を示す図である。より詳細には、図１は、本実施の形態による紙幣処理装置の内部構成を示す構成図であり、図２は、図１に示す紙幣処理装置の機能ブロック図であり、図３は、図１に示す紙幣処理装置で入金処理等が行われる際に、識別部により識別された紙幣が６つの収納部のうちどの収納部に収納されるかを説明するための表である。
【００３３】
まず、図１を用いて本実施の形態による紙幣処理装置の概略的な構成について説明する。図１に示すように、本実施の形態による紙幣処理装置１は、入金部１２および出金部１４を含む入出金部１０と、入金リジェクト部１６とを備えている。入金部１２は、当該入金部１２に投入された紙幣を繰出機構１２ａにより１枚ずつ機体（筐体）２の内部に繰り出すようになっている。また、紙幣処理装置１の機体２の内部には搬送部１８が設けられており、入金部１２の繰出機構１２ａにより機体２の内部に１枚ずつ繰り出された紙幣は搬送部１８により１枚ずつ搬送されるようになっている。また、搬送部１８は出金部１４や入金リジェクト部１６にも接続されており、この搬送部１８から出金部１４や入金リジェクト部１６に紙幣が１枚ずつ送られるようになっている。また、出金部１４には繰出機構１４ａが設けられており、搬送部１８から出金部１４に送られた紙幣を繰出機構１４ａにより搬送部１８に戻すことができるようになっている。
【００３４】
また、搬送部１８には識別部４０が設けられており、搬送部１８により搬送される紙幣は、識別部４０により金種、真偽、正損等が識別されるようになっている。また、識別部４０には、紙幣を撮像して当該紙幣の画像データを得るための撮像部が設けられている。この撮像部により撮像された紙幣の画像データに基づいて、識別部４０は紙幣の記番号を読み取るようになっている。紙幣の記番号とは、個々の紙幣を特定するための固有情報であり、各紙幣には互いに異なる例えば１０桁の記番号が付されるようになっている。撮像部としては、紙幣の金種や正損を識別するために用いられるイメージセンサを併用することができる。また、イメージセンサとは別に撮像カメラ４２を設けてもよい。
【００３５】
また、図１に示すように、搬送部１８には回収部４４が接続されており、出金処理において出金部１４に紙幣が送られた後、一定時間が経過してもこの紙幣が出金部１４から取り出されなかったときに、出金部１４に設けられた繰出機構１４ａにより紙幣を搬送部１８に戻し、この搬送部１８に戻された紙幣を回収部４４に送るようになっている。回収部４４は機体２の内部から取り外し可能となっており、回収部４４を機体２外に取り外すことによって操作者は回収部４４内の紙幣の回収を行うことができるようになっている。このようにして、取り忘れ紙幣の回収を行うことができるようになる。
【００３６】
また、本実施の形態による紙幣処理装置１には、紙幣を積層状態で収納する複数（具体的には６つ）の収納部５２が機体２の内部に設けられている。これらの複数の収納部５２を、図１における左側から順に５２ａ、５２ｂ、５２ｃ、５２ｄ、５２ｅ、５２ｆとする。各収納部５２は搬送部１８に接続されており、搬送部１８から各収納部５２に紙幣がそれぞれ送られて積層状態で収納されるようになっている。また、各収納部５２には繰出機構５４が設けられており、各収納部５２に収納された紙幣は繰出機構５４により搬送部１８に１枚ずつ繰り出すことができるようになっている。本実施の形態による紙幣処理装置１では、各収納部５２は機体２内から操作者が取り外し可能なカセットから構成されており、操作者は各収納部５２を機体２から取り外すことによりこの収納部５２に収納された紙幣の回収を行うことができるようになっている。
【００３７】
また、本実施の形態による紙幣処理装置１の機体２の内部には制御部７０が設けられており、この制御部７０により紙幣処理装置１の各構成要素の制御が行われるようになっている。制御部７０の構成の詳細については後述する。
【００３８】
また、機体２には例えばタッチパネルからなる操作表示部４が設けられており、紙幣処理装置１による紙幣の処理内容、具体的には各収納部５２に収納された紙幣の金種別の金額や枚数、および／または収納された紙幣の合計金額等が操作表示部４に表示されるとともに、操作者は操作表示部４により制御部７０に対して様々な指令を送ることができるようになっている。
【００３９】
図２は、図１に示す紙幣処理装置１の機能ブロック図である。図２に示すように、制御部７０には入金部１２、出金部１４、搬送部１８、識別部４０、収納部５２、操作表示部４等がそれぞれ接続されている。制御部７０は、入金部１２、出金部１４、搬送部１８、収納部５２、操作表示部４等にそれぞれ指令信号を送り、これらの構成要素の制御を行うようになっている。また、識別部４０により識別された紙幣の識別情報が制御部７０に送られるようになっている。この際に、識別部４０は、例えば搬送される紙幣を走査するラインセンサを含み、このラインセンサにより撮像された紙幣の画像データも制御部７０に送られるようになっている。また、操作者によって操作表示部４に入力された指令は制御部７０に送られるようになっている。
【００４０】
また、図２に示すように、制御部７０には記憶部７２が設けられている。記憶部７２には、紙幣処理装置１の様々な設定情報や、紙幣処理装置１による紙幣の処理内容等が記憶されるようになっている。具体的には、例えば、記憶部７２には、各収納部５２に収納された紙幣の金種別の金額や枚数、および／または収納された紙幣の合計金額等が記憶されるようになっている。また、記憶部７２には、識別部４０の撮像部により撮像された紙幣の画像データも記憶されるようになっている。この際に、撮像部により撮像された紙幣の画像データは、紙幣処理装置１における紙幣の取引データに紐付けられて記憶部７２に記憶されるようになっている。
【００４１】
次に、図１等に示すような紙幣処理装置１における入金処理について以下に説明する。紙幣処理装置１において入金処理を行う際に、操作者はまず入出金部１０の入金部１２に紙幣を投入する。そして、操作者が操作表示部４により入金処理開始の指令を制御部７０に入力すると、入金部１２に設けられた繰出機構１２ａにより紙幣が１枚ずつ機体２内に繰り出され、搬送部１８に送られるようになる。そして、搬送部１８により紙幣が識別部４０に送られ、当該識別部４０により紙幣の金種、真偽、正損等の識別が行われる。この際に、識別部４０に設けられた撮像部により紙幣が撮像されて当該紙幣の画像データが得られる。識別部４０は、撮像部により撮像された紙幣の画像データに基づいて、紙幣の記番号を読み取る。
【００４２】
識別部４０により識別された紙幣が正常な紙幣である場合には、当該紙幣は搬送部１８により各収納部５２に送られ、これらの収納部５２に収納される。６つの収納部５２のうちどの収納部に紙幣が収納されるかについては後述する。一方、識別部４０により識別された紙幣が偽券や搬送異常券である等、正常な紙幣ではない場合には、当該紙幣はリジェクト紙幣として搬送部１８により入金リジェクト部１６に送られ、この入金リジェクト部１６に収納される。入金リジェクト部１６に収納されたリジェクト紙幣は、入金処理が行われた後に操作者により入金リジェクト部１６から取り出されるようになる。
【００４３】
次に、図１等に示すような紙幣処理装置１における出金処理について以下に説明する。紙幣処理装置１において出金処理を行う際に、操作者は操作表示部４により出金処理開始の指令を制御部７０に入力する。この際に、操作者は出金されるべき紙幣の金種毎の枚数や合計金額等を入力する。出金処理開始の指令が制御部７０に入力されると、各収納部５２から繰出機構５４により紙幣が搬送部１８に繰り出され、当該搬送部１８により紙幣が識別部４０に送られ、この識別部４０により紙幣の金種、真偽、正損等の識別が行われる。
【００４４】
識別部４０により識別された紙幣が正常な紙幣である場合には、当該紙幣は搬送部１８により出金部１４に送られ、出金部１４に収納される。このようにして、操作者は出金部１４に収納された紙幣を出金紙幣として出金部１４から取り出すことができるようになる。一方、識別部４０により識別された紙幣が搬送異常券である等、正常な紙幣ではない場合には、当該紙幣はリジェクト紙幣として搬送部１８により回収部４４に送られ、この回収部４４に収納される。回収部４４に収納されたリジェクト紙幣は、出金処理が行われた後に操作者により機体２から回収部４４ごと回収されるようになる。
【００４５】
次に、図１等に示すような紙幣処理装置１における両替処理について以下に説明する。紙幣処理装置１において両替処理を行う際に、入出金部１０の入金部１２に紙幣が投入されると、この紙幣が繰出機構１４ａにより機体２内に繰り出されて識別部４０により識別された後、識別された紙幣が正常な紙幣である場合には当該紙幣は各収納部５２に送られるとともに、識別された紙幣が正常な紙幣ではない場合には当該紙幣はリジェクト紙幣として入金リジェクト部１６に送られる。その後、各収納部５２に収納された紙幣と合計金額が同一であるが金種が異なる複数の紙幣が各収納部５２から繰出機構５４により搬送部１８に繰り出され、識別部４０により識別された後、当該紙幣は出金部１４に送られ、出金部１４に収納される。このようにして、操作者は出金部１４に収納された紙幣を両替紙幣として出金部１４から取り出すことができるようになる。
【００４６】
本実施の形態による紙幣処理装置１では、入金処理や両替処理を行う際に、制御部７０は、識別部４０により記番号が読み取られた紙幣と識別部４０により記番号が読み取られなかった紙幣とを別々の収納部５２に収納するよう搬送部１８を制御するようになっている。なお、「識別部４０により記番号が読み取られた紙幣」とは、紙幣の全ての記番号が正確に識別部４０により読み取られることに限定されることはなく、例えば１０桁の記番号のうち８桁以上の記番号が読み取られる等、少なくとも紙幣の特定を行うことができる程度に紙幣の記番号が読み取られる場合を含むものとする。
【００４７】
また、制御部７０は、識別部４０により識別された紙幣の金種毎に紙幣を別々の収納部５２に収納するよう搬送部１８を制御するようになっている。また、制御部７０は、識別部４０により正券と識別された紙幣と損券と識別された紙幣とを別々の収納部５２に収納するよう搬送部１８を制御するようになっている。なお、損券としては、例えばテープにより破けた箇所が修復された紙幣等が含まれるものとする。識別部４０により識別された紙幣が６つの収納部５２のうちどの収納部に収納されるかについて図３を用いて以下に説明する。図３では、各収納部５２に収納される紙幣が中国元の紙幣である場合について説明している。しかしながら、各収納部５２に収納される紙幣は中国元の紙幣に限定されることはなく、日本円、米国ドル、ユーロ等の紙幣が各収納部５２に収納されるようになっていてもよい。
【００４８】
図３に示すように、本実施の形態による紙幣処理装置１では、入金処理や両替処理を行うにあたり、識別部４０により紙幣の正損を識別する際に、紙幣の正券に係る判別を２段階の区分に分けて行うようになっている。より詳細には、紙幣の正券に係る判別の区分としては、ＡＴＭ（Ａｕｔｏｍａｔｅｄ−Ｔｅｌｌｅｒ  Ｍａｃｈｉｎｅ）に装填し、このＡＴＭから払い出すことができるような、より新札に近い状態の紙幣であるＡＴＭ−Ｆｉｔと、ＡＴＭに装填することはできないが銀行の窓口等で顧客に払い出すことができるような、ＡＴＭ−Ｆｉｔよりは汚れている紙幣であるＴｅｌｌｅｒ−Ｆｉｔという２つの区分が存在する。このように、識別部４０は、ＡＴＭ−Ｆｉｔ、Ｔｅｌｌｅｒ−Ｆｉｔおよび損券という、３段階の区分に分けて紙幣の正損の識別を行うようになっている。図３において、ＡＴＭ−Ｆｉｔに「○」が記載されている収納部（収納部５２ａ）には、識別部４０によりＡＴＭ−Ｆｉｔの正券であると識別された紙幣が収納されるようになっており、Ｔｅｌｌｅｒ−Ｆｉｔに「○」が記載されている収納部（収納部５２ｂ、５２ｃ、５２ｄ、５２ｅ）には、識別部４０によりＴｅｌｌｅｒ−Ｆｉｔの正券であると識別された紙幣が収納されるようになっており、損券に「○」が記載されている収納部（収納部５２ｆ）には、識別部４０により損券であると識別された紙幣が収納されるようになっている。
【００４９】
図３に示すように、本実施の形態による紙幣処理装置１では、入金処理や両替処理を行うにあたり、収納部５２ａ、５２ｂ、５２ｃには、識別部４０により記番号が読み取られた紙幣が収納されるようになっており、一方、収納部５２ｄ、５２ｅには、識別部４０により記番号が読み取られなかった紙幣が収納されるようになっている。前述したように、収納部５２ｆには損券が収納されるようになっているが、この収納部５２ｆには識別部４０により記番号が読み取られた紙幣と識別部４０により記番号が読み取られなかった紙幣とが混合状態で収納されるようになっている。また、識別部４０により記番号が読み取られた紙幣が収納される収納部５２ａ、５２ｂ、５２ｃのうち、前述したように収納部５２ａには識別部４０によりＡＴＭ−Ｆｉｔの正券であると識別された紙幣が収納されるようになっており、収納部５２ｂ、５２ｃには識別部４０によりＴｅｌｌｅｒ−Ｆｉｔの正券であると識別された紙幣が収納されるようになっている。また、収納部５２ｂ、５２ｃには紙幣が金種毎に収納されるようになっている。より具体的には、収納部５２ｂには１００元の紙幣が収納され、収納部５２ｃには５０元の紙幣が収納されるようになっている。なお、収納部５２ａにも１００元の紙幣が収納されるようになっている。
【００５０】
一方、前述したように、収納部５２ｄ、５２ｅには、識別部４０により記番号が読み取られなかった紙幣が収納されるようになっているが、これらの収納部５２ｄ、５２ｅには紙幣が金種毎に収納されるようになっている。より具体的には、収納部５２ｄには１００元の紙幣が収納され、収納部５２ｅには５０元の紙幣が収納されるようになっている。また、収納部５２ｆには損券が収納されるようになっているが、この収納部５２ｆには各金種の紙幣が混合状態で収納されるようになっている。
【００５１】
収納部５２ａに収納された紙幣については、操作者が機体２の外部に収納部５２ａごと取り出したあと、収納部５２ａ内の紙幣をＡＴＭにそのまま装填することができるようになっている。一方、収納部５２ｂ、５２ｃ、５２ｄ、５２ｅに収納された紙幣について、操作者が機体２の外部に収納部５２ｂ、５２ｃ、５２ｄ、５２ｅごと取り出したあと、収納部５２ｂ、５２ｃ、５２ｄ、５２ｅ内の紙幣をＡＴＭにそのまま装填することはできないが、当該紙幣を銀行の窓口等で顧客に払い出すことができるようになっている。また、収納部５２ｆに収納された紙幣は損券であるため、顧客に払い出すことができず、中央銀行等に戻されるようになる。
【００５２】
以上のように本実施の形態の紙幣処理装置１によれば、識別部４０は、機体２内に投入された紙幣の記番号を読み取るようになっており、制御部７０は、識別部４０により記番号を読み取られた紙幣と識別部４０により記番号が読み取られなかった紙幣とを別々の収納部５２に収納するよう搬送部１８を制御するようになっている。このことにより、記番号が管理されている紙幣のみを、ＡＴＭに装填される紙幣や銀行窓口で顧客に払い出される紙幣として使用するような運用が行われるときでも、識別部４０により記番号が読み取られた紙幣と識別部４０により記番号が読み取られなかった紙幣とを物理的に分離して管理することにより、入金処理等により収納部５２に収納された紙幣をそのままＡＴＭに装填される紙幣や銀行窓口で顧客に払い出される紙幣として使用することができるようになる。
【００５３】
また、本実施の形態の紙幣処理装置１においては、識別部４０は、紙幣の金種も識別するようになっており、制御部７０は、識別部４０により識別された紙幣の金種毎に紙幣を別々の収納部５２に収納するよう搬送部１８を制御するようになっている。また、識別部４０は、紙幣の正損も識別するようになっており、制御部７０は、識別部４０により正券であると識別された紙幣と損券であると識別された紙幣とを別々の収納部５２に収納するよう搬送部１８を制御するようになっている。
【００５４】
図１に示すような紙幣処理装置１では、制御部７０は、識別部４０により紙幣が正券であると識別された場合には、識別部４０により記番号が読み取られた紙幣と識別部４０により記番号が読み取られなかった紙幣とを別々の収納部５２に収納し（図３における収納部５２ｂ、５２ｃ、５２ｄ、５２ｅ参照）、識別部４０により紙幣が損券であると識別された場合には、識別部４０により記番号が読み取られた紙幣と識別部４０により記番号が読み取られなかった紙幣とを同じ収納部（図３における収納部５２ｆ）に収納するよう搬送部１８を制御するようになっている。
【００５５】
また、本実施の形態の紙幣処理装置１においては、識別部４０は、紙幣の正損を識別する際に、紙幣の正損に係る判別を３段階の区分（ＡＴＭ−Ｆｉｔ、Ｔｅｌｌｅｒ−Ｆｉｔ、損券）に分けて行うようになっている。より詳細には、識別部４０は、紙幣の正損を識別する際に、紙幣の正券に係る判別を２段階の区分（ＡＴＭ−Ｆｉｔ、Ｔｅｌｌｅｒ−Ｆｉｔ）に分けて行うようになっている。そして、制御部７０は、紙幣の正損に係る判別の区分毎に紙幣を別々の収納部５２に収納するよう搬送部１８を制御するようになっている。なお、変形例としては、識別部４０は、紙幣の正損を識別する際に、正券と損券の２段階の区分に分けて行うようになっていてもよい。また、他の変形例としては、紙幣の正損に係る判別を４段階以上の区分に分けて行うようになっていてもよい。また、他の変形例としては、制御部７０は、識別部４０により記番号が読み取られなかった正券の紙幣については、紙幣の正券に係る判別の区分にかかわらず同じ収納部に収納するよう搬送部１８を制御するようになっていてもよい。
【００５６】
また、本実施の形態の紙幣処理装置１においては、識別部４０により記番号が読み取られた紙幣を収納する収納部５２は、紙幣処理装置１の機体２内から操作者が取り外し可能なカセットから構成されている。
【００５７】
また、本実施の形態の紙幣処理装置１においては、識別部４０により記番号が読み取られなかった紙幣に関して、撮像部により撮像された紙幣の画像データを記憶部７２に記憶させるようになっている。この際に、撮像部により撮像された紙幣の画像データは、紙幣処理装置１における紙幣の取引データに紐付けられて記憶部７２に記憶されるようになっている。このことにより、識別部４０により記番号が読み取られなかった紙幣について操作者は追跡（後追い）を行うことができるようになる。制御部７０の処理速度や記憶部７２の記憶容量に余裕がある場合は、記番号が読み取られた紙幣についても紙幣の画像データを記憶部７２に記憶させたり、取引データに紐付けしたりしてもよい。
【００５８】
なお、本実施の形態による紙幣処理装置１は、上記の態様に限定されるものではなく、様々な変更を加えることができる。
【００５９】
例えば、入金処理等を行う際に、制御部７０は、識別部４０により記番号が読み取られた紙幣と識別部４０により記番号が読み取られなかった紙幣とを別々の収納部５２に収納するよう搬送部１８を制御する代わりに、識別部４０により記番号が読み取られた紙幣を収納部５２に収納し、識別部４０により記番号が読み取られなかった紙幣を機体２外へ返却するよう搬送部１８を制御するようになっていてもよい。より具体的には、入金処理等を行う際に、制御部７０は、識別部４０により記番号が読み取られなかった紙幣を入金リジェクト部１６に送るよう搬送部１８を制御する。そして、操作者は入金リジェクト部１６に送られた紙幣をこの入金リジェクト部１６から取り出すことができるようになる。このような変形例に係る紙幣処理装置１によれば、記番号が管理されている紙幣のみを、ＡＴＭに装填される紙幣や銀行窓口で顧客に払い出される紙幣として使用するような運用が行われるときでも、識別部４０により記番号が読み取られた紙幣と識別部４０により記番号が読み取られなかった紙幣とを物理的に分離して管理することにより、入金処理等により収納部５２に収納された紙幣をそのままＡＴＭに装填される紙幣や銀行窓口で顧客に払い出される紙幣として使用することができるようになる。
【００６０】
また、このような変形例に係る紙幣処理装置１において、識別部４０は、紙幣の金種も識別するようになっており、制御部７０は、識別部４０により識別された紙幣の金種毎に紙幣を別々の収納部５２に収納するよう搬送部１８を制御するようになっていてもよい。また、識別部４０は、紙幣の正損も識別するようになっており、制御部７０は、識別部４０により正券であると識別された紙幣と損券であると識別された紙幣とを別々の収納部５２に収納するよう搬送部１８を制御するようになっていてもよい。
【００６１】
また、上述のような変形例に係る紙幣処理装置１において、識別部４０は、紙幣の正損を識別する際に、紙幣の正損に係る判別を３段階以上の区分（例えば、ＡＴＭ−Ｆｉｔ、Ｔｅｌｌｅｒ−Ｆｉｔ、損券等）に分けて行うようになっていてもよい。そして、制御部７０は、紙幣の正損に係る判別の区分毎に紙幣を別々の収納部５２に収納するよう搬送部１８を制御するようになっていてもよい。
【００６２】
また、上述のような変形例に係る紙幣処理装置１において、識別部４０により記番号が読み取られた紙幣を収納する収納部５２は、紙幣処理装置１の機体２内から操作者が取り外し可能なカセットから構成されていてもよい。
【００６３】
また、更なる変形例に係る紙幣処理装置１として、以下に示すような態様のものが用いられてもよい。すなわち、更なる変形例に係る紙幣処理装置１では、制御部７０は、識別部４０により記番号が読み取られた紙幣と識別部４０により記番号が読み取られなかった紙幣とを別々の収納部５２に収納するよう搬送部１８を制御する第１の運転モードと、識別部４０により記番号が読み取られた紙幣と識別部４０により記番号が読み取られなかった紙幣とを同じ収納部５２に収納するよう搬送部１８を制御する第２の運転モードとからなる２つの運転モードのうちいずれか一方の運転モードを選択的に実行するようになっていてもよい。制御部７０における第１の運転モードおよび第２の運転モードの切り換えは、操作者が操作表示部４により制御部７０に対してどちらの運転モードを行うかの指示を行うことにより行われるようになっている。このような紙幣処理装置１によれば、記番号が管理されている紙幣のみを、ＡＴＭに装填される紙幣や銀行窓口で顧客に払い出される紙幣として使用するような運用が行われるときには、制御部７０が第１の運転モードを実行することを操作者が指示することにより、識別部４０により記番号が読み取られた紙幣と識別部４０により記番号が読み取られなかった紙幣とを物理的に分離して管理することができるようになる。このことにより、入金処理等により収納部５２に収納された紙幣をそのままＡＴＭに装填される紙幣や銀行窓口で顧客に払い出される紙幣として使用することができるようになる。
【００６４】
また、別の変形例に係る紙幣処理装置１として、以下に示すような態様のものが用いられてもよい。すなわち、別の変形例に係る紙幣処理装置１では、制御部７０は、識別部４０により記番号が読み取られた紙幣を収納部５２に収納し、識別部４０により記番号が読み取られなかった紙幣を機体２外へ返却するよう搬送部１８を制御する第３の運転モードと、識別部４０により記番号が読み取られた紙幣と識別部４０により記番号が読み取られなかった紙幣とを収納部５２に収納するよう搬送部１８を制御する第４の運転モードとからなる２つの運転モードのうちいずれか一方の運転モードを選択的に実行するようになっていてもよい。制御部７０における第３の運転モードおよび第４の運転モードの切り換えは、操作者が操作表示部４により制御部７０に対してどちらの運転モードを行うかの指示を行うことにより行われるようになっている。このような紙幣処理装置１によれば、記番号が管理されている紙幣のみを、ＡＴＭに装填される紙幣や銀行窓口で顧客に払い出される紙幣として使用するような運用が行われるときには、制御部７０が第３の運転モードを実行することを操作者が指示することにより、識別部４０により記番号が読み取られた紙幣と識別部４０により記番号が読み取られなかった紙幣とを物理的に分離して管理することができるようになる。このことにより、入金処理等により収納部５２に収納された紙幣をそのままＡＴＭに装填される紙幣や銀行窓口で顧客に払い出される紙幣として使用することができるようになる。
【００６５】
本発明による紙幣処理装置としては、図１に示すような構成のもの以外にも、例えば図４や図５に示すような構成のものが用いられるようになっていてもよい。図４に示す紙幣処理装置１０１は、入金部１１２および出金部１１４を含む入出金部１１０を備えている。入金部１１２は、当該入金部１１２に投入された紙幣を繰出機構１１２ａにより１枚ずつ機体（筐体）１０２の内部に繰り出すようになっている。また、紙幣処理装置１０１の機体１０２の内部には搬送部１１８が設けられており、入金部１１２の繰出機構１１２ａにより機体１０２の内部に１枚ずつ繰り出された紙幣は搬送部１１８により１枚ずつ搬送されるようになっている。また、搬送部１１８は出金部１１４にも接続されており、この搬送部１１８から出金部１１４に紙幣が１枚ずつ送られるようになっている。
【００６６】
また、搬送部１１８には識別部１４０が設けられており、搬送部１１８により搬送される紙幣は、識別部１４０により金種、真偽、正損等が識別されるようになっている。また、識別部１４０には、紙幣を撮像して当該紙幣の画像データを得るための撮像部が設けられている。また、この撮像部により撮像された紙幣の画像データに基づいて、識別部１４０は紙幣の記番号を読み取るようになっている。撮像部としては、紙幣の金種や正損を識別するために用いられるイメージセンサを併用することができる。また、イメージセンサとは別に撮像カメラ１４２を設けてもよい。
【００６７】
また、図４に示すように、紙幣処理装置１０１には、紙幣を積層状態で収納する複数（具体的には４つ）の収納部１５２が機体１０２の内部に設けられている。各収納部１５２は搬送部１１８に接続されており、搬送部１１８から各収納部１５２に紙幣がそれぞれ送られて積層状態で収納されるようになっている。また、各収納部１５２には繰出機構１５４が設けられており、各収納部１５２に収納された紙幣は繰出機構１５４により搬送部１１８に１枚ずつ繰り出すことができるようになっている。本実施の形態による紙幣処理装置１０１では、各収納部１５２は機体１０２内から操作者が取り外し可能なカセットから構成されており、操作者は各収納部１５２を機体１０２から取り外すことによりこの収納部１５２に収納された紙幣の回収を行うことができるようになっている。
【００６８】
また、図４に示す紙幣処理装置１０１には収納ユニット１６０が設けられている。この収納ユニット１６０は、紙幣の収納を行う収納部が上下二段に分割されたものである。より詳細には、収納ユニット１６０は、紙幣を積層状態で収納する上下二段の収納部１６２ａ、１６２ｂと、各収納部１６２ａ、１６２ｂに収納された紙幣をそれぞれ１枚ずつ搬送部１１８に繰り出すための繰出機構１６４ａ、１６４ｂとを有している。本実施の形態による紙幣処理装置１０１では、収納ユニット１６０は機体１０２内から操作者が取り外し可能なカセットから構成されており、操作者は収納ユニット１６０を機体１０２から取り外すことによりこの収納ユニット１６０に収納された紙幣の回収を行うことができるようになっている。
【００６９】
また、図４に示すように、紙幣処理装置１０１の機体１０２の内部には制御部１７０が設けられており、この制御部１７０により紙幣処理装置１０１の各構成要素の制御が行われるようになっている。
【００７０】
より詳細には、制御部１７０は、識別部１４０により記番号を読み取られた紙幣と識別部１４０により記番号が読み取られなかった紙幣とを別々の収納部１５２、１６２ａ、１６２ｂに収納するよう搬送部１１８を制御するようになっている。このことにより、記番号が管理されている紙幣のみを、ＡＴＭに装填される紙幣や銀行窓口で顧客に払い出される紙幣として使用するような運用が行われるときでも、識別部１４０により記番号が読み取られた紙幣と識別部１４０により記番号が読み取られなかった紙幣とを物理的に分離して管理することにより、入金処理等により収納部１５２、１６２ａ、１６２ｂに収納された紙幣をそのままＡＴＭに装填される紙幣や銀行窓口で顧客に払い出される紙幣として使用することができるようになる。
【００７１】
図４に示す紙幣処理装置１０１の変形例としては、制御部１７０は、識別部１４０により記番号が読み取られた紙幣を収納部１５２、１６２ａ、１６２ｂに収納し、識別部１４０により記番号が読み取られなかった紙幣を機体１０２外へ返却するよう搬送部１１８を制御するようになっていてもよい。より具体的には、入金処理等を行う際に、制御部１７０は、識別部１４０により記番号が読み取られなかった紙幣を出金部１１４に送るよう搬送部１１８を制御する。そして、操作者は出金部１１４に収納された紙幣をこの出金部１１４から取り出すことができるようになる。この場合でも、識別部１４０により記番号が読み取られた紙幣と識別部１４０により記番号が読み取られなかった紙幣とを物理的に分離して管理することにより、入金処理等により収納部１５２、１６２ａ、１６２ｂに収納された紙幣をそのままＡＴＭに装填される紙幣や銀行窓口で顧客に払い出される紙幣として使用することができるようになる。
【００７２】
図５に示す紙幣処理装置２０１は、入金部２１２および出金部２１４を含む入出金部２１０を備えている。入金部２１２は、当該入金部２１２に投入された紙幣を繰出機構２１２ａにより１枚ずつ機体（筐体）２０２の内部に繰り出すようになっている。また、紙幣処理装置２０１の機体２０２の内部には搬送部２１８が設けられており、入金部２１２の繰出機構２１２ａにより機体２０２の内部に１枚ずつ繰り出された紙幣は搬送部２１８により１枚ずつ搬送されるようになっている。また、搬送部２１８は出金部２１４にも接続されており、この搬送部２１８から出金部２１４に紙幣が１枚ずつ送られるようになっている。
【００７３】
また、搬送部２１８には識別部２４０が設けられており、搬送部２１８により搬送される紙幣は、識別部２４０により金種、真偽、正損等が識別されるようになっている。また、識別部２４０には、紙幣を撮像して当該紙幣の画像データを得るための撮像部が設けられている。また、この撮像部により撮像された紙幣の画像データに基づいて、識別部２４０は紙幣の記番号を読み取るようになっている。撮像部としては、紙幣の金種や正損を識別するために用いられるイメージセンサを併用することができる。また、イメージセンサとは別に撮像カメラ２４２を設けてもよい。
【００７４】
また、図５に示すように、紙幣処理装置２０１には、紙幣を収納する複数（具体的には８つ）の収納部２５２が機体２０２の内部に設けられている。各収納部２５２はテープ巻き取り式のものからなる。より具体的には、各収納部２５２は、正逆両方向に回転可能なドラム２５４を有しており、このドラム２５４に一対のテープが巻き取られるようになっている。そして、搬送部２１８から各収納部２５２に送られた紙幣は、この一対のテープの間に挟まれた状態で１枚ずつ順次ドラム２５４により巻き取られて収納されるようになっている。また、ドラム２５４を逆転させると、巻き取られた紙幣が１枚ずつ繰り出されて、搬送部２１８に送られるようになっている。本実施の形態による紙幣処理装置２０１では、各収納部２５２は機体２０２の内部から操作者が取り外し可能なカセットから構成されており、操作者は各収納部２５２を機体２０２から取り外すことによりこの収納部２５２に収納された紙幣の回収を行うことができるようになっている。
【００７５】
また、図５に示すように、紙幣処理装置２０１の機体２０２の内部には制御部２７０が設けられており、この制御部２７０により紙幣処理装置２０１の各構成要素の制御が行われるようになっている。
【００７６】
より詳細には、制御部２７０は、識別部２４０により記番号を読み取られた紙幣と識別部２４０により記番号が読み取られなかった紙幣とを別々の収納部２５２に収納するよう搬送部２１８を制御するようになっている。このことにより、記番号が管理されている紙幣のみを、ＡＴＭに装填される紙幣や銀行窓口で顧客に払い出される紙幣として使用するような運用が行われるときでも、識別部２４０により記番号が読み取られた紙幣と識別部２４０により記番号が読み取られなかった紙幣とを物理的に分離して管理することにより、入金処理等により収納部２５２に収納された紙幣をそのままＡＴＭに装填される紙幣や銀行窓口で顧客に払い出される紙幣として使用することができるようになる。
【００７７】
図５に示す紙幣処理装置２０１の変形例としては、制御部２７０は、識別部２４０により記番号が読み取られた紙幣を収納部２５２に収納し、識別部２４０により記番号が読み取られなかった紙幣を機体２０２外へ返却するよう搬送部２１８を制御するようになっていてもよい。より具体的には、入金処理等を行う際に、制御部２７０は、識別部２４０により記番号が読み取られなかった紙幣を出金部２１４に送るよう搬送部２１８を制御する。そして、操作者は出金部２１４に収納された紙幣をこの出金部２１４から取り出すことができるようになる。この場合でも、識別部２４０により記番号が読み取られた紙幣と識別部２４０により記番号が読み取られなかった紙幣とを物理的に分離して管理することにより、入金処理等により収納部２５２に収納された紙幣をそのままＡＴＭに装填される紙幣や銀行窓口で顧客に払い出される紙幣として使用することができるようになる。
【符号の説明】
【００７８】
１  紙幣処理装置
１８  搬送部
４０  識別部
４２  撮像カメラ
５２  収納部
７０  制御部
７２  記憶部
１０１  紙幣処理装置
１１８  搬送部
１４０  識別部
１４２  撮像カメラ
１５２  収納部
１６２ａ、１６２ｂ  収納部
１７０  制御部
２０１  紙幣処理装置
２１８  搬送部
２４０  識別部
２４２  撮像カメラ
２５２  収納部
２７０  制御部
【図１】
2013164802.tif 000003
【図２】
2013164802.tif 000004
【図３】
2013164802.tif 000005
【図４】
2013164802.tif 000006
【図５】
2013164802.tif 000007